(57)【要約】  本発明は指静脈と指紋を同時に認証するマルチ安全ロック機能を具備する金融取引中継システムおよびその処理方法に関するものであって、本発明の金融取引中継システムは、顧客端末機と電子金融取引システムおよび電子商取引システムの間に行われる金融取引を無認証接続で中継する金融取引中継サーバーを含む。金融取引中継サーバーは、顧客端末機の指静脈認証、指紋認証、パスワード認証および、電話番号認証を利用するユーザを認証処理するマルチ安全ロックモジュールとミドルウェアファイアウォールを具備する。本発明によると、顧客端末機が電子金融取引および電子商取引のうちいずれか一つを遂行すると、顧客端末機から指紋情報と指静脈情報とを受けて認証処理することによって、電子金融取引システムおよび電子商取引システムを無認証接続で金融取引が可能であるように中継処理することができ、識別不可能な指静脈または指紋に対して２次的に指紋または指静脈を認証処理するため、ユーザ認証エラーを最小化することができる。
2018532211.tif 000002
【特許請求の範囲】
【請求項１】
金融取引中継システムの処理方法において：
指紋認識器と指静脈認識器を具備する顧客端末機が通信網を通じて金融取引中継サーバーに接続して会員として加入する段階と；
前記顧客端末機の前記指紋認識器から指紋情報を獲得し、前記指静脈認識器から指静脈情報を獲得し、通信網を通じて指紋情報と指静脈情報とを前記金融取引中継サーバーに伝送して指紋情報と指静脈情報とを登録する段階と；
前記顧客端末機が電子金融取引および電子商取引を遂行するために、前記金融取引中継サーバーに接続して一次的に指紋情報を伝送すると、前記金融取引中継サーバーが伝送された指紋情報と既保存された指紋情報とが一致するかを判別して前記顧客端末機のユーザを認証する段階と；
前記金融取引中継サーバーが２次的に前記顧客端末機からパスワードの入力を受けて既保存されたパスワードと一致するかを判別する段階と；
パスワードが一致すると、前記金融取引中継サーバーが前記顧客端末機から指静脈情報の伝送を受けて３次的に既保存された指静脈と一致するかを判別する段階と；
判別結果、指静脈情報が一致すると、前記金融取引中継サーバーが４次的にミドルウェア承認処理部を通じてマルチ安全ロックモジュールで前記金融取引中継サーバーのデータベースを開くことができるようにファイアウォールを解除する段階および；
前記金融取引中継サーバーは無認証で電子金融取引システムまたは電子商取引システムに接続して金融取引を中継するように処理する段階を含むことを特徴とする、金融取引中継システムの処理方法。
【請求項２】
金融取引中継システムの処理方法において：
指紋認識器と指静脈認識器を一つのモジュールで具備する顧客端末機から通信網を通じて金融取引中継サーバーに接続して会員として加入し、前記指紋認識器と前記指静脈認識器とから同時にスキャンして指紋情報と指静脈情報とを獲得し、前記通信網を通じて前記指紋情報と前記指静脈情報とを前記金融取引中継サーバーに伝送して登録する段階と；
前記顧客端末機が電子金融取引および電子商取引を遂行するために、前記金融取引中継サーバーに接続すると、前記金融取引中継サーバーが前記顧客端末機から前記指静脈情報と前記指紋情報の伝送を受けて、１次的に伝送された前記指静脈情報を登録された指静脈情報と比較して、伝送された前記指静脈情報が唯一なものであるかを判別する段階と；
判別結果、伝送された前記指静脈情報が唯一なものではなければ、２次的に伝送された前記指紋情報を登録された指紋情報と比較して唯一なものであるかを判別する段階および；
判別結果、伝送された前記指紋情報が唯一なものであれば、前記顧客端末機からパスワードの伝送を受けてファイアウォールパスワード認証を処理する段階を含むことを特徴とする、金融取引中継システムの処理方法。
【請求項３】
前記指静脈情報を伝送する場合に、指静脈認識器がスキャナーから獲得した指静脈情報とともに指の温度または血流の流れを認識して異常がないと判断されると、スキャナーから獲得した指静脈情報を顧客端末機に提供する段階を含むことを特徴とする、請求項１または請求項２に記載の金融取引中継システムの処理方法。
【請求項４】
金融取引中継システムにおいて：
通信網と；
前記通信網に連結され、指紋情報を入力する指紋認識器と指静脈情報を抽出する指静脈認識器を具備する顧客端末機および；
前記顧客端末機が前記通信網を通じて接続され、前記顧客端末機から前記指紋情報、パスワード、前記指静脈情報の伝送を受けて会員として登録し、前記顧客端末機が電子金融取引および電子商取引のうちいずれか一つを遂行すると、前記顧客端末機から前記指紋情報と、前記パスワードおよび前記指静脈情報の伝送を受けて認証処理して電子金融取引のための電子金融取引システムまたは電子商取引のための電子商取引システムに無認証接続して金融取引が行われるように中継処理する金融取引中継サーバーを含むことを特徴とする、金融取引中継システム。
【請求項５】
前記金融取引中継サーバーは；
前記顧客端末機から指紋情報を受けて既登録された指紋情報と一致するかを比較する指紋認識処理部と、
前記顧客端末機の口座パスワードを登録する口座パスワード処理部と、前記顧客端末機の電話番号を利用して認証する電話番号認証処理部を含むマルチ安全ロックモジュールおよび；
前記顧客端末機の指静脈情報を受けて既登録された指静脈情報と一致するかを比較して、前記指紋情報、前記パスワードおよび前記指静脈情報がすべて一致する場合に、前記電子金融取引システムおよび前記電子商取引で電子金融取引および電子商取引を中継するように承認処理するミドルウェア承認処理部を含むミドルウェアファイアウォールを具備することを特徴とする、請求項４に記載の金融取引中継システム。
【請求項６】
前記指静脈認識器は；
顧客の指をスキャニングして指静脈情報を獲得するスキャナーと；
前記スキャナーから獲得した指静脈情報から指静脈パターンを抽出して保存するメモリーと；
前記スキャナーからスキャニングした指静脈情報を表示するか前記指静脈認識器の処理過程を表示する指静脈画像表示部と；
前記顧客端末機と連結されて前記スキャナーから獲得した指静脈情報を前記顧客端末機に提供するインタフェースモジュールおよび；
前記指静脈認識器の諸動作を制御するコントローラ；
前記メモリーには獲得した指静脈情報から指静脈パターンを抽出し、抽出した指静脈パターンが顧客の指静脈パターンと一致するかを判別する指静脈パターン抽出プログラムを保存することを特徴とする、請求項４または請求項５に記載の金融取引中継システム。
【請求項７】
金融取引中継システムにおいて：
通信網と；
前記通信網に連結され、顧客の指紋情報を認識する指紋認識器と指静脈情報を抽出する指静脈認識器を具備する顧客端末機および；
前記顧客端末機が前記通信網を通じて接続され、前記顧客端末機から前記指静脈情報と前記指紋情報の伝送を受けて会員として登録し、前記顧客端末機が電子金融取引および電子商取引のうちいずれか一つを遂行すると、前記顧客端末機から前記指静脈情報と前記指紋情報の伝送を受けて一次的に前記指静脈情報を利用してユーザ認証を処理し、前記指静脈情報からユーザ識別が不可能であると、２次的に前記指紋情報を利用してユーザ認証を処理し、前記顧客端末機からパスワードの伝送を受けてミドルウェアファイアウォール認証を処理して電子金融取引のための電子金融取引システムまたは電子商取引のための電子商取引システムに無認証接続して金融取引が行われるように中継処理する金融取引中継サーバーを含むことを特徴とする、金融取引中継システム。
【請求項８】
前記金融取引中継サーバーは；
前記顧客端末機から前記指静脈情報と前記指紋情報とを受けて既登録された指静脈情報と指紋情報とが一致するかを順に比較して、前記指静脈情報がユーザ識別不可能であると、前記指紋情報を利用してユーザを識別するように処理する指静脈および指紋認識処理部と、前記顧客端末機のパスワードを登録し、パスワードを利用して認証処理するパスワード処理部を含むマルチ安全ロックモジュールおよび；
前記顧客端末機の前記指静脈情報を受けて既登録された指静脈情報と一致するかを比較して、前記指静脈情報または前記指紋情報と前記パスワードとが一致する場合に、前記電子金融取引システムおよび前記電子商取引で電子金融取引および電子商取引を中継するように承認処理するミドルウェア承認処理部を含む前記ミドルウェアファイアウォールを具備することを特徴とする、請求項７に記載の金融取引中継システム。
【請求項９】
前記指静脈認識器は；
顧客の指をスキャニングして指静脈情報を獲得するスキャナーと；
前記スキャナーから獲得した指静脈情報から指静脈パターンを抽出して保存し、獲得した指静脈情報から指静脈パターンを抽出し、抽出した指静脈パターンが顧客の指静脈パターンと一致するかを判別する指静脈パターン抽出プログラムを保存するメモリーと；
前記スキャナーからスキャニングした指静脈情報を表示するか前記指静脈認識器の処理  過程を表示する指静脈画像表示部と；
前記顧客端末機と連結されて前記スキャナーから獲得した指静脈情報を前記顧客端末機に提供するインタフェースモジュールおよび；
前記指静脈認識器の諸動作を制御するコントローラを含むことを特徴とする、請求項７または請求項８に記載の金融取引中継システム。
【請求項１０】
前記指静脈認識器は；
スキャナーから指静脈情報を獲得する時、指の温度または血流の流れを認識する血流認識センサーをさらに具備して、指の温度または血流の流れに異常がないと判断されると、スキャナーから獲得した指静脈情報を顧客端末機に提供するように処理することを特徴とする、請求項４または請求項７に記載の金融取引中継システム。
【発明の詳細な説明】
【技術分野】
【０００１】
本発明は金融取引中継システムに関するものであって、より具体的には、指紋認証  、指静脈を利用したファイアウォールパスワード認証および金融管理ミドルウェア認証を処理し、金融取引、電子商取引などのための無認証接続が可能であるように処理し、識別できない指静脈および指紋によるユーザ認証エラーを防止するために、指静脈と指紋を同時にスキャンして指静脈、指紋の順にユーザ認証を処理し、ファイアウォールパスワード認証および金融管理ミドルウェア認証を処理して金融取引、電子商取引などのための無認証接続を可能にする、マルチ安全ロック機能を具備する金融取引中継システムおよびその処理方法に関するものである。
【背景技術】
【０００２】
最近携帯電話、スマートフォンなどの使用と無線インターネットの急速な普及に伴い、モバイル機器を利用した銀行業務、電子商取引処理の比重が高くなっている。
【０００３】
現在、モバイル機器は、クレジットカードに代わって銀行業務、電子商取引などの金融取引が遂行できるように銀行で発行するチップを利用する。このために、モバイル機器は、チップを内蔵して専用端末が設置されたコンビニエンスストア、および売り場で費用の決済に利用しているが、決済可能な費用に制限があり、専用端末がない所では決済を遂行することができない。また、モバイル機器に内蔵されたチップでは、口座振込や一般の商取引時に費用の決済を即時に処理し難い側面がある。
【０００４】
一般的に、個人が銀行との電子金融取引において、個人の身元情報またはパスワードなどの漏洩と盗用によって発生し得る個人の被害を防止するために、公認証明書とパスワードなどで個人の金融取引を保護しているが、これは銀行のセキュリティー技術だけに依存しているので、個人の誤りによる個人の被害発生を銀行が防止または保護できずにいるのが実情である。
【０００５】
このような問題点を解決するために、現在オンラインショッピングモールなどでのクレジットカードの決済による電子商取引、銀行取引、保険取引および証券取引などによる電子金融取引において生体認識技術が適用されている。生体認識技術は、生体情報を利用して個人の身元を確認または識別する技術をいう。現在までの生体認識技術には、指紋、顔、虹彩または声などを利用して個人の身元を識別する。
【０００６】
指紋認識技術は認識装置が小さく、安価で大量生産が可能である。また、認識の正確性と迅速性の側面でも比較的良好な性能を示す。しかし、指紋は身体の外に露出しているため盗難されやすく、汗などによって変形する可能性があるため認識性能に影響を及ぼす恐れがあり、衛生上の問題点も存在する。それだけでなく、指紋は現在ユーザの約１／１０００万名程度のユーザが同一または類似して認識されるため、ユーザ認証にエラーが発生する問題点がある。
【０００７】
虹彩認識技術は、認識エラーが発生する可能性が殆どなく、偽造も難しいという点で最も信頼できる生体認識技術である。しかし、人の殆どが虹彩認識のために目に直接光が当たることを嫌がり、また虹彩認識装置はサイズが大きく高価である短所がある。顔または声認識技術は、身元認識をするにおいて最も自然な形態の生体情報という長所を有する。しかし、認識の正確性の側面においては、他の技術に比べて正確性が劣る短所を有する。
【０００８】
前述した生体認識技術の短所を補完および解消するために、現在指静脈認識技術が開発されている。
【０００９】
指静脈認識技術とは、赤外線を通じて取得した指静脈パターン映像を利用して個人を識別する技術をいう。人間の静脈は、皮膚のすぐ下に複雑な形態を有して位置し、各種研究によると、静脈のパターンは各々すべて異なり、年を取ってもそのパターンが変化しないものと知られている。指静脈認識技術は次のような長所を有する。すなわち、静脈は身体の内部に存在するため、盗難または偽造の危険が殆どなく、指の表面の状態が認識に何の影響も及ぼさない。また、赤外線を利用してユーザの便宜性が高い非接触式装置を構成することができ、指静脈パターンは安定的かつ比較的明確に探すことができるため、小さくイメージプロセッシングが簡単な指静脈映像を獲得するために解像度が低いカメラを使用することができる。すなわち、指静脈認識技術は、セキュリティー性と便宜性の側面でバランスの取れた性能を提供することができる。
【００１０】
このような長所により、最近の指静脈認識技術は指紋、虹彩、顔および声認識技術に比べて偽造、変造が難しいためより安全性の高い生体認証装置を具現することができ、小型化が可能であるため多様な分野への応用が期待されている。
【００１１】
しかし、指静脈も現在、ユーザの約１／１００万名が同一または類似して認識されるため、ユーザ認証にエラーが発生する問題点がある。したがって、指静脈および指紋を利用してより正確なユーザ認証技術が必要であるのが実情である。
【００１２】
（先行技術文献）
１．大韓民国公開特許公報第１０−２０１４−０００３２７４号（公開日２０１４年０１月０９日）
２．大韓民国公開特許公報第１０−２０１２−０１２５８１６号（公開日２０１２年１１月１９日）
３．大韓民国登録特許公報第１０−０９５４７７６号（公告日２０１０年０４月２８日）
４．大韓民国登録特許公報第１０−１０５０３０１号（公告日２０１１年０７月１９日）
【発明の概要】
【発明が解決しようとする課題】
【００１３】
本発明の目的は、指静脈認証を利用したマルチ安全ロック機能を具備する金融取引中継システムおよびその処理方法を提供することである。
【００１４】
本発明の目的は、指静脈と指紋を同時にスキャンして順にユーザ認証を処理するマルチ安全ロック機能を具備する金融取引中継システムおよびその処理方法を提供することである。
【００１５】
本発明の他の目的は、ミドルウェアファイアウォールを利用してマルチ安全ロック機能を具備する金融取引中継システムおよびその処理方法を提供することである。
【００１６】
本発明のさらに他の目的は、指静脈認証、指紋認証およびパスワード認証を利用したマルチ安全ロック機能を具備して、電子商取引、電子金融取引での無認証接続および金融取引が可能であるように中継処理する金融取引中継システムおよびその処理方法を提供することである。
【課題を解決するための手段】
【００１７】
前記目的を達成するための本発明の金融取引中継システムにおいて、通信網と；前記通信網に連結され、指紋情報を入力する指紋認識器と指静脈情報を抽出する指静脈認識器を具備する顧客端末機および；前記顧客端末機が前記通信網を通じて接続され、前記顧客端末機から前記指紋情報、パスワード、前記指静脈情報の伝送を受けて会員として登録し、前記顧客端末機が電子金融取引および電子商取引のうちいずれか一つを遂行すると、前記顧客端末機から前記指紋情報と前記パスワードおよび前記指静脈情報の伝送を受けて認証処理して、電子金融取引のための電子金融取引システムまたは電子商取引のための電子商取引システムに無認証接続して金融取引が行われるように中継処理する金融取引中継サーバーを含むことを特徴とする、金融取引中継システムである。
【００１８】
そして、本発明の前記金融取引中継サーバーは、前記顧客端末機から指紋情報を受けて既登録された指紋情報と一致するかを比較する指紋認識処理部と、前記顧客端末機の口座パスワードを登録する口座パスワード処理部と、前記顧客端末機の電話番号を利用して認証する電話番号認証処理部を含むマルチ安全ロックモジュールおよび；前記顧客端末機の指静脈情報を受けて既登録された指静脈情報と一致するかを比較し、前記指紋情報、前記パスワードおよび前記指静脈情報がすべて一致する場合に、前記電子金融取引システムおよび前記電子商取引で電子金融取引および電子商取引を中継するように承認処理するミドルウェア承認処理部を含むミドルウェアファイアウォールを具備することを特徴とする、金融取引中継システムである。
【００１９】
また、本発明の前記指静脈認識器は、顧客の指をスキャニングして指静脈情報を獲得するスキャナーと；前記スキャナーから獲得した指静脈情報から指静脈パターンを抽出して保存するメモリーと；前記スキャナーからスキャニングした指静脈情報を表示するか前記指静脈認識器の処理過程を表示する指静脈画像表示部と；前記顧客端末機と連結されて前記スキャナーから獲得した指静脈情報を前記顧客端末機に提供するインタフェースモジュールおよび；前記指静脈認識器の諸動作を制御するコントローラ；前記メモリーには獲得した指静脈情報から指静脈パターンを抽出し、抽出した指静脈パターンが顧客の指静脈パターンと一致するかを判別する指静脈パターン抽出プログラムを保存することを特徴とする、金融取引中継システムである。
【００２０】
そして、本発明の金融取引中継システムにおいて、通信網と；前記通信網に連結され、顧客の指紋情報を認識する指紋認識器と指静脈情報を抽出する指静脈認識器を具備する顧客端末機および；前記顧客端末機が前記通信網を通じて接続され、前記顧客端末機から前記指静脈情報と前記指紋情報の伝送を受けて会員として登録し、前記顧客端末機が電子金融取引および電子商取引のうちいずれか一つを遂行すると、前記顧客端末機から前記指静脈情報と前記指紋情報の伝送を受けて一次的に前記指静脈情報を利用してユーザ認証を処理し、前記指静脈情報からユーザ識別が不可能であると、２次的に前記指紋情報を利用してユーザ認証を処理し、前記顧客端末機からパスワードの伝送を受けてミドルウェアファイアウォール認証を処理して、電子金融取引のための電子金融取引システムまたは電子商取引のための電子商取引システムに無認証接続して金融取引が行われるように中継処理する金融取引中継サーバーを含むことを特徴とする、金融取引中継システムである。
【００２１】
また、本発明の前記金融取引中継サーバーは；前記顧客端末機から前記指静脈情報と前記指紋情報とを受けて既登録された指静脈情報と指紋情報とが一致するかを順に比較して、前記指静脈情報がユーザ識別不可能であると、前記指紋情報を利用してユーザを識別するように処理する指静脈および指紋認識処理部と、前記顧客端末機のパスワードを登録し、パスワードを利用して認証処理するパスワード処理部を含むマルチ安全ロックモジュールおよび；前記顧客端末機の前記指静脈情報を受けて既登録された指静脈情報と一致するかを比較し、前記指静脈情報または前記指紋情報と前記パスワードとが一致する場合に、前記電子金融取引システムおよび前記電子商取引で電子金融取引および電子商取引を中継するように承認処理するミドルウェア承認処理部を含む前記ミドルウェアファイアウォールを具備することを特徴とする、金融取引中継システムである。
【００２２】
そして、本発明の前記指静脈認識器は、顧客の指をスキャニングして指静脈情報を獲得するスキャナーと；前記スキャナーから獲得した指静脈情報から指静脈パターンを抽出して保存し、獲得した指静脈情報から指静脈パターンを抽出し、抽出した指静脈パターンが顧客の指静脈パターンと一致するかを判別する指静脈パターン抽出プログラムを保存するメモリーと；前記スキャナーからスキャニングした指静脈情報を表示するか前記指静脈認識器の処理過程を表示する指静脈画像表示部と；前記顧客端末機と連結されて前記スキャナーから獲得した指静脈情報を前記顧客端末機に提供するインタフェースモジュールおよび；前記指静脈認識器の諸動作を制御するコントローラを含むことを特徴とする、金融取引中継システムである。
【００２３】
また、本発明の金融取引中継システムの処理方法において：指紋認識器と指静脈認識器を具備する顧客端末機が通信網を通じて金融取引中継サーバーに接続して会員として加入する段階と；前記顧客端末機の前記指紋認識器から指紋情報を獲得し、前記指静脈認識器から指静脈情報を獲得し、通信網を通じて指紋情報と指静脈情報とを前記金融取引中継サーバーに伝送して指紋情報と指静脈情報とを登録する段階と；前記顧客端末機が電子金融取引および電子商取引を遂行するために、前記金融取引中継サーバーに接続して一次的に指紋情報を伝送すると、前記金融取引中継サーバーが伝送された指紋情報と既保存された指紋情報とが一致するかを判別して前記顧客端末機のユーザを認証する段階と；前記金融取引中継サーバーが２次的に前記顧客端末機からパスワードの入力を受けて既保存されたパスワードと一致するかを判別する段階と；パスワードが一致すると、前記金融取引中継サーバーが前記顧客端末機から指静脈情報の伝送を受けて３次的に既保存された指静脈と一致するかを判別する段階と；判別結果、指静脈情報が一致すると、前記金融取引中継サーバーが４次的にミドルウェア承認処理部を通じてマルチ安全ロックモジュールで前記金融取引中継サーバーのデータベースを開くことができるようにファイアウォールを解除する段階および；前記金融取引中継サーバーは無認証で電子金融取引システムまたは電子商取引システムに接続して金融取引を中継するように処理する段階を含むことを特徴とする、金融取引中継システムの処理方法である。
【００２４】
そして、本発明の金融取引中継システムの処理方法において：指紋認識器と指静脈認識器を一つのモジュールで具備する顧客端末機から通信網を通じて金融取引中継サーバーに接続して会員として加入し、前記指紋認識器と前記指静脈認識器とから同時にスキャンして指紋情報と指静脈情報とを獲得し、前記通信網を通じて前記指紋情報と前記指静脈情報とを前記金融取引中継サーバーに伝送して登録する段階と；前記顧客端末機が電子金融取引および電子商取引を遂行するために、前記金融取引中継サーバーに接続すると、前記金融取引中継サーバーが前記顧客端末機から前記指静脈情報と前記指紋情報の伝送を受けて、１次的に伝送された前記指静脈情報を登録された指静脈情報と比較して、伝送された前記指静脈情報が唯一なものであるかを判別する段階と；判別結果、伝送された前記指静脈情報が唯一なものではなければ、２次的に伝送された前記指紋情報を登録された指紋情報と比較して唯一なものであるかを判別する段階および；判別結果、伝送された前記指紋情報が唯一なものであれば、前記顧客端末機からパスワードの伝送を受けてファイアウォールパスワード認証を処理する段階を含むことを特徴とする、金融取引中継システムの処理方法である。
【発明の効果】
【００２５】
上述した通り、本発明の金融取引中継システムは、電子金融取引、電子商取引時に指紋、指静脈を利用してマルチ安全ロック機能を提供することによって、顧客端末機から指紋情報と指静脈情報とを受けて認証処理することによって、電子金融取引システムおよび電子商取引システムを無認証接続で金融取引可能にすることができる。
【００２６】
本発明の金融取引中継システムは、一次的に指静脈を利用してユーザを認証してユーザ認証エラーが発生すると、２次的に指紋を利用してユーザを認証処理することによって、指静脈および指紋が同一または類似してユーザ識別が難しい場合にも、ユーザ認証エラーを最小化することができる。
【００２７】
また、本発明の金融取引中継システムは、電子金融取引、電子商取引時に指紋、指静脈を利用してマルチ安全ロック機能を提供して、顧客端末機から指紋情報と指静脈情報およびファイアウォール認証用パスワードを受けて認証処理することによって、電子金融取引システムおよび電子商取引システムを無認証接続で金融取引可能にすることができる。
【００２８】
また、本発明の金融取引中継システムは、一度の会員加入で顧客端末機の指紋情報、パスワードおよび指静脈情報を登録することによって、金融取引にともなう安全ロック機能を提供することができ、煩わしく公認証明書の発行を受ける不便さを解消させることができるため、金融取引に対する新しい変化の経済的な便利性を提供することができる。
【００２９】
また、本発明の金融取引中継システムは、電子金融取引システムおよび電子商取引システムを無認証接続で金融取引可能であるため、ＩＴ技術との融合を通じていつでも、どこででも金融取引を使用することができるユビキタス時代に適合である。
【００３０】
また、本発明の金融取引中継システムは、ミドルウェアファイアウォールの構築によってハッキングからの解放はもちろん、指一つの移動経路に沿って指紋と指静脈の外部および内部パターンを同時に利用させる、デジタルフィンテック革命時代に新たな地平を開拓したマルチ安全ロック機能の生体認証セキュリティー管理システムに提供されることによって、世界のいずれでも真似ることができない、本出願人のみが保有および提供できる特化した技術力を具現することができる。
【００３１】
また、本発明の金融取引中継システムは、指紋、指静脈を利用してマルチ安全ロック機能を提供することによって、顧客本人ではないと絶対に使用することができなく、複製と偽造、変造が不可能であるため、悪用の恐れがある場合、例えば、指紋認識のために死んだ人の指を利用する場合にも指静脈パターンの活用を不可能にするため、次世代本人認証のための生体認識技術としては独歩的である。
【図面の簡単な説明】
【００３２】
【図１】本発明に係る指静脈認証を利用したマルチ安全ロック機能を具備する金融取引中継システムの構成を図示したブロック図。
【図２】図１に図示された金融取引中継サーバーの構成を図示したブロック図。
【図３】図１に図示された顧客端末機の一部の構成を図示したブロック図。
【図４】本発明の一実施例に係る指静脈認証を利用したマルチ安全ロック機能を具備する金融取引中継システムの処理手順を図示したフローチャート。
【図５】本発明の他の実施例に係る指静脈と指紋を同時にスキャンしてユーザ認証を処理するマルチ安全ロック機能を具備する金融取引中継システムの処理手順を図示したフローチャート。
【発明を実施するための形態】
【００３３】
以下、添付された図１〜図５を参照して本発明の実施例を詳細に説明する。
【００３４】
本発明の実施例は多様な形態に変形され得、本発明の範囲は下記で叙述する実施例によって限定されるものと解釈されてはならない。本実施例は、当業界で平均的な知識を有する者に本発明をより完全に説明するために提供されるものである。したがって、図面での構成要素の形状などはより明確な説明を強調するために誇張されたものである。
【００３５】
図１は本発明に係る指静脈認証を利用したマルチ安全ロック機能を具備する金融取引中継システムの構成を図示したブロック図であり、図２は図１に図示された金融取引中継サーバーの構成を図示したブロック図であり、そして、図３は図１に図示された顧客端末機の一部の構成を図示したブロック図である。
【００３６】
まず、本発明は本出願人によって２０１４年９月１８日付で特許出願された大韓民国特許出願番号第１０−２０１４−０１２４０３５号の「マルチ安全ロック機能を具備する金融取引中継システムおよびその処理方法」と、同一出願人によって２０１５年１月１３日付で特許出願された大韓民国特許出願番号第１０−２０１５−０００４５９０号の「指静脈認証を利用したマルチ安全ロック機能を具備する金融取引中継システムおよびその処理方法」に対する改良発明に関するものである。
【００３７】
図１〜図３を参照すると、本発明の金融取引中継システム２は、指静脈認証、指紋認証、パスワード認証、および／または電話番号認証を含むマルチ安全ロック機能を利用して、顧客端末機２００と電子金融取引、電子商取引のための電子金融取引システム３００および電子商取引システム４００間に無認証接続方式で電子金融取引および電子商取引が行われるように中継処理する。
【００３８】
このために本発明の金融取引中継システム２は、ミドルウェアファイアウォール１２０を利用して金融取引中継サーバー１００に指静脈認証、指紋認証と、そしてパスワードおよび電話番号のうち少なくとも一つのユーザ認証を通じて会員として登録し、顧客端末機２００と電子金融取引システム３００および電子商取引システム４００間に金融取引時に、無認証接続が行われるようにして電子金融取引および電子商取引を中継処理する。
【００３９】
具体的には、本発明の金融取引中継システム２は、通信網４、６と、顧客端末機２００と、電子金融取引システム３００と、電子商取引システム４００および金融取引中継サーバー１００を含む。
【００４０】
通信網４、６は例えば、有無線通信網、移動通信網などで備えられ、顧客端末機２００と電子金融取引システム３００および金融取引中継サーバー１００、そして顧客端末機２００と電子商取引システム４００および金融取引中継サーバー１００間にデータ通信が行われるように連結される単一または複合の通信網で備えられる。
【００４１】
顧客端末機２００は例えば、スマートフォン、タブレット  コンピュータ、ノートパソコンなどのような携帯用コンピュータやパーソナルコンピュータなどで備えられ、通信網４を通じて金融取引中継サーバー１００に接続する。このために顧客端末機２００はウェブブラウザまたはモバイルアプリケーションを利用して金融取引中継サーバー１００に接続し、金融取引中継サーバー１００を通じて電子金融取引システム３００および電子商取引システム４００との電子金融取引および電子商取引を遂行する。
【００４２】
顧客端末機２００は、指紋情報を獲得する指紋認識器２１０と、指静脈情報を抽出する指静脈認識器２２０を具備する。顧客端末機２００は指紋認識器２１０から獲得した指紋情報と指静脈認識器２２０から抽出した指静脈情報とを通信網４を通じて金融取引中継サーバー１００に提供する。この実施例で指紋認識器２１０と指静脈認識器２２０は、一つのモジュール２０２で備えられ、ユーザ認証時、指紋と指静脈とを同時にスキャン可能である。
【００４３】
顧客端末機２００は通信網４を通じて金融取引中継サーバー１００に接続し、会員として登録する。この時、顧客端末機２００は金融取引中継サーバー１００で指紋情報と指静脈情報とを登録し、電子金融取引システム３００や電子商取引システム４００に登録されたパスワードを登録する。また顧客端末機２００は金融取引中継サーバー１００から電話番号を利用して付加的に認証され得る。また顧客端末機２００は電子金融取引システム３００および電子商取引システム４００との電子金融取引および電子商取引のために、指紋認識器２１０と指静脈認識器２２０とが一つのモジュール２５０で備えられ、同時に指紋と指静脈とをスキャンし、認識された指紋情報と指静脈情報とを金融取引中継サーバー１００に提供する。
【００４４】
この実施例の顧客端末機２００はスマートフォンで備えられ、図３に図示された通り、通信網４を通じて金融取引中継サーバー１００に接続して電子金融取引、電子商取引のための金融取引中継アプリケーション２０２をダウンロードして内部に設置する。また顧客端末機２００は金融取引中継アプリケーション２０２を活性化させて、指紋認識器２１０と指静脈認識器２２０を通じて自分の指紋情報と指静脈情報とを同時にスキャニングし、スキャニングした指紋情報と指静脈情報とを通信網４を通じて金融取引中継サーバー１００に提供する。
【００４５】
また顧客端末機２００の指紋認識器２１０と指静脈認識器２２０は、顧客端末機２００の一つのモジュール２５０の形態で備えられ、顧客端末機２００の内部に備えられるか、または図３に図示された通り、顧客端末機２００と着脱可能な独立した装置で備えられてもよい。これは顧客が指紋認識器２１０と指静脈認識器２２０を購入するのにかかる経済的な負担感を除去し、金融取引中継アプリケーション２０２の使用を積極的に奨励するために、金融取引中継サーバー１００のサービス業者、加盟店またはクレジットカード社等で指紋認識器２１０と指静脈認識器２２０を商取引現場に提供して、指紋と指静脈を利用した決済手段を登録および利用する時、顧客端末機２００に装着、分離可能な形態で提供され得る。
【００４６】
指紋認識器２１０に対する技術はすでに多様に公開されているため、ここで指紋情報の獲得および識別に対する具体的な構成や作用および機能などの説明は省略する。このような指静脈認識器２２０は、顧客の血管のうち使いやすい指の静脈に近赤外線などを投射して静脈のヘモグロビンのパターンを認識して顧客を認証するように指静脈情報を抽出および獲得する。すなわち、指の静脈が近赤外光を吸収し静脈以外の部分が近赤外光を透過することを利用して、近赤外線を指に照射し、近赤外線の感度を有するスキャナー例えば、赤外線カメラによって指を撮影することによって、静脈の画像を撮影して、その静脈のパターンを抽出して個人の認証に利用することができる。
【００４７】
しかし、指静脈は約１／１００万名程度のユーザが同一または類似して認識されてユーザを識別することができない場合が発生するため、本発明では指静脈認識器２２０から認識された指静脈情報が金融取引中継サーバー１００のデータベース１３０に保存された指静脈情報と同一または類似して識別し難い場合、すなわち、唯一の指静脈情報ではない場合には、指紋認識器２１０から認識された指紋情報を利用してユーザすなわち、顧客を認証するようにする。
【００４８】
したがって、金融取引中継サーバー１００は指静脈を利用してユーザを認証して認証エラーが発生すると、２次的に指紋を利用してユーザを認証処理する。
【００４９】
具体的には、この実施例の指静脈認識器２２０は、指静脈認識器２２０の諸動作を制御するコントローラ２１２、顧客の指をスキャニングして指静脈情報を獲得するスキャナー２１４、スキャナー２１４から獲得した指静脈情報から指静脈パターンを抽出して保存するメモリー２１６、スキャナー２１４からスキャニングした指静脈情報を表示するか指静脈認識器２２０の処理過程を表示する指静脈画像表示部２１８および、顧客端末機２００と連結されてスキャナー２１４から獲得した指静脈情報を顧客端末機２００に提供するインタフェースモジュール２２６を含む。
【００５０】
メモリー２１６には、獲得した指静脈情報から指静脈パターンを抽出する指静脈パターン抽出プログラム２３０が保存される。指静脈パターン抽出プログラム２３０は例えば、レベルセット曲率（ｌｅｖｅｌ  ｓｅｔ  ｃｕｒｖａｔｕｒｅ）プログラムで備えられ、スキャナー２１４から取得した指に関する画像からノイズを除去し、ノイズが除去された指に関する画像のうち周辺の部分を除去して指部分のみの画像を分離し、レベルセット曲率（ｌｅｖｅｌ  ｓｅｔ  ｃｕｒｖａｔｕｒｅ）を利用して指部分のみの画像のうち指静脈パターンを抽出して、抽出した指静脈パターンを２進化および細線化（ｔｈｉｎｎｉｎｇ）する。その後、レベルセット曲率プログラム２３０の命令にしたがって指静脈パターンが顧客の指静脈パターンと一致するかを判別することができる。
【００５１】
また、指静脈認識器２２０はスキャナー２１４から指静脈情報を獲得する時、指の温度を感知する温度センサー２２２と指に流れる血液を認識する血流認識センサー２２４をさらに具備する。このような温度センサー２２２と血流認識センサー２２４は例えば、一定時間の間に他人の指だけを利用して指静脈情報をスキャニング可能な問題点を補完および解消するために、指静脈認識器２２０がスキャナー２１４から獲得する指静脈情報とともに、指の温度および血流の流れを認識して異常がないと判断されると、スキャナー２１４から獲得した指静脈情報を顧客端末機２００に提供するように処理する。
【００５２】
このような指静脈認識器２２０は例えば、韓国内特許登録公報第１０−１４９６８５２号（公告日２０１５年０３月０２日）の「指静脈認証システム」などの構成で備えられ得る。
【００５３】
再び図１を参照すると、電子金融取引システム３００は、提携の銀行、保険会社および証券会社などに備えられ、顧客端末機２００のオンラインで処理される銀行業務による電子金融取引、保険会社業務による電子金融取引、証券会社業務による電子金融取引を処理する。電子金融取引システム３００は、金融取引中継サーバー１００を通じて顧客端末機２００がマルチ安全ロック機能で承認されると、無認証で接続される。
【００５４】
電子商取引システム４００は例えば、デパート、割引店などのオンラインショッピングモールシステム、航空、鉄道などの旅客運送予約システム、コンドミニアム、ホテルなどの宿泊予約システム、映画、演劇、音楽会などの文化公演予約システム、レジャー予約システムなどで備えられて、金融取引中継サーバー１００を通じて電子商取引利用時、顧客端末機２００がマルチ安全ロック機能で承認されると、無認証で接続される。
【００５５】
そして、金融取引中継サーバー１００は顧客端末機２００が会員加入時に、マルチ安全ロックモジュール１１０を通じて会員として登録し、電子金融取引システム３００および電子商取引システム４００との電子金融取引、電子商取引時、顧客端末機２００から指静脈情報と指紋情報を同時にスキャンして順にユーザを認証処理し、パスワードとミドルウェアファイアウォール１２０を通じてユーザを認証処理し、電子金融取引システム３００および電子商取引システム４００で電子金融取引および電子商取引時、マルチ安全ロック機能で承認されると、無認証接続で金融取引が行われるように中継処理する。このような金融取引中継サーバー１００は、電子金融取引、電子商取引のためのパーソナルポータルサイトを構築する。
【００５６】
具体的には、金融取引中継サーバー１００は図２に図示された通り、制御部１０２と、通信部１０４と、マルチ安全ロックモジュール１１０と、ミドルウェア認証処理部１２２およびデータベース１３０を含む。金融取引中継サーバー１００は、図示されてはいないが、典型的なコンピュータシステムの構成要素例えば、中央処理装置、メモリー装置、入出力装置および保存装置などを具備する。
【００５７】
制御部１０２は、金融取引中継サーバー１００の諸動作を制御および処理する。制御部１０２は例えば、中央処理装置、メモリーまたはウェブサーバーなどのようなハードウェアだけでなく、運営体制プログラム、制御プログラムなどのソフトウェアを含むことができる。このような制御部１０２は、顧客端末機２００が電子金融取引システム３００および電子商取引システム４００での電子金融取引および電子商取引時、顧客端末機２００から指静脈情報と指紋情報、そしてパスワードおよび電話番号情報のうち少なくとも一つを受けて、電子金融取引システム３００および電子商取引システム４００で無認証接続が行われるようにマルチ安全ロックモジュール１１０を処理する。この時、制御部１０２はユーザの指静脈情報がデータベース１３０に保存された指静脈情報のうち複数個の指静脈情報と同一または類似してユーザ識別が不可能な場合が発生すると、指紋情報を利用して追加的にユーザ認証を処理するように制御する。
【００５８】
また、制御部１０２は顧客端末機２００が指静脈認証と指紋認証、ミドルウェアファイアウォール１２０を通じてパスワード認証を処理して接続するようにし、ミドルウェア認証処理部１２２によってマルチ安全ロック機能を処理するように制御する。この時、制御部１０２はパスワード認証に代わって電話番号を利用してユーザ認証を処理するか、パスワードとともに電話番号認証を処理してもよい。
【００５９】
通信部１０４は、通信網４、６を通じて顧客端末機２００と電子金融取引システム３００および電子商取引システム４００を連結して、無認証接続で電子金融取引および電子商取引が行われるように顧客端末機２００と金融取引中継サーバー１００を連結する。
【００６０】
マルチ安全ロックモジュール１１０は例えば、ソフトウェアで備えられ、多段階で顧客端末機２００のユーザ認証機能を具備する。この実施例でマルチ安全ロックモジュール１１０は、顧客端末機２００から指静脈情報と指紋情報を受けて既登録された指静脈情報と指紋情報とが一致するかを順に比較して、指静脈情報がユーザ識別不可能であると、指紋情報を利用してユーザを識別するように処理する指静脈および指紋認識処理部１１２と、顧客端末機２００のパスワードを登録し、パスワードを利用してファイアウォール認証を処理するパスワード処理部１１４および、顧客端末機２００の電話番号を利用して認証する電話番号認証処理部１１６を含む。
【００６１】
ミドルウェアファイアウォール１２０は、ミドルウェア認証処理部１２２を具備する。  ミドルウェア認証処理部１２２はマルチ安全ロックモジュール１１０とデータベース１３０との間に備えられ、マルチ安全ロックモジュール１１０により認証処理された、すなわち、承認された顧客端末機２００をミドルウェアファイアウォール１２０を通じて最終的に認証処理してデータベース１３０の多様な情報を電子金融取引システム３００または電子商取引システム４００に提供することができるように処理する。
【００６２】
そしてデータベース１３０は、制御部１０２の制御を受けてマルチ安全ロックモジュール１１０の処理過程による多様な情報を保存する。この実施例でデータベース１３０は金融取引中継サーバー１００の内部に備えられているが、別途のデータベースサーバーで備えられてもよい。
【００６３】
具体的には、データベース１３０は会員情報１３２と、指紋情報１３４、指静脈情報１３６および金融情報１３８を保存する。会員情報１３２は、顧客端末機２００のそれぞれが金融取引中継サーバー１００の会員として登録する時、入力された情報すなわち、顧客端末機２００のユーザ情報例えば、名前、ＩＤ、パスワード、電話番号、メールアドレスなどを含む。会員情報１３２は、指紋情報１３４と指静脈情報１３６および金融情報１３８と相互にマッチングされる。このような会員情報１３２は顧客端末機２００が金融取引中継アプリケーション２０２を活性化させて会員として登録する時に入力される。
【００６４】
指紋情報１３４は、顧客端末機２００のユーザが金融取引中継サーバー１００の会員として登録する時、顧客端末機２００の指紋認識器２１０から獲得した指紋情報の伝送を受けて保存する。
【００６５】
指静脈情報１３６は会員情報１３２に対応して登録される。指静脈情報１３６は、顧客端末機２００の指静脈認識器２２０から獲得したものであって、通信網４を通じて顧客端末機２００から金融取引中継サーバー１００に提供される。したがって、金融取引中継サーバー１００に登録された指静脈情報１３６は、一つの決済手段（例えば、仮想の決済手段）に対応するか、既発行された決済手段（例えば、クレジットカード、取引口座など）のユーザ認証に必要な情報として使用される。このような指静脈情報１３６は、指静脈パターンを抽出し、抽出した指静脈パターンに対する情報として保存される。
【００６６】
そして、金融情報１３８は顧客端末機２００の既発行された決済手段例えば、クレジットカード、デビットカード、チェックカードおよび取引口座に対する情報を含み、電子金融取引システム３００または電子商取引システム４００に登録された通帳口座のパスワードまたはミドルウェアファイアウォール１２０認証用パスワードをさらに含むことができる。
【００６７】
このような金融取引中継サーバー１００は、一次的にモバイルアプリケーションすなわち、金融取引中継アプリケーション２０２を基盤として指紋（または指静脈）認証、２次的にファイアウォールパスワード認証、３次的に指静脈（または指紋）認証、４次的に金融管理用ミドルウェア認証を処理するプラットフォームを構築し、最後の境界線であるファイアウォール認証ラインを経て最終的に通過するようになると、マルチ安全ロックモジュール１１０に接続され、制御部１０２により処理される指紋情報処理部１１２、パスワード処理部１１４、電話番号処理部１１６の３個の項目と、データベース１３０と連携された会員情報１３２、指紋情報１３４、金融情報１３６の３個の項目を連動させるソフトウェアとハードウェア運営体系の中間の間にミドルウェア承認処理部１２２を通過させることによって、総計６個の項目に一致した情報の承認を要請して最終マルチ安全ロックモジュール１１０と連係したミドルウェア承認処理部１２２の遂行作動により承認が完了処理される。
【００６８】
したがって、本発明の金融取引中継システム２はマルチ安全ロック機能が開かれるようになり、無認証接続を通じて電子金融取引および電子商取引を安全でかつ便利に利用することができるように処理される。
【００６９】
このように本発明の金融取引中継システム２は、顧客端末機２００のモバイルアプリケーション２０２を利用して、指紋認証、パスワード認証、指静脈認証およびこれらのそれぞれに対するミドルウェア認証処理過程の多段階の手続きを必ず経ないと無認証接続ができないように、指紋、パスワードおよび指静脈を含むマルチ認証経路とミドルウェア認証処理部１２２のマルチ安全ロック機能が処理される。
【００７０】
前述した本発明の金融取引中継システム２は、顧客端末機２００がスマートフォンやパーソナルポータル接続を通じてモバイルアプリケーションをダウンロードして金融取引に利用する。この時、金融取引中継サーバー１００は、マルチ安全ロックモジュール１１０を利用して顧客が顧客端末機２００に指一つを差しつける瞬間、指静脈と指紋を認識するとともにパスワードに接続され、次いでミドルウェアファイアウォール１２０認証過程を必ず通過しないと無認証接続が不可能である。
【００７１】
本発明のミドルウェアファイアウォール１２０認証過程において、顧客のそれぞれが有している固有の指静脈スキャニングを経て指静脈パターンを抽出し、データベース１３０の指静脈情報に連携された複数個の指静脈情報のうち一つを認識する。そして、指を引き離す瞬間、顧客本人の情報が除去され、また、指静脈スキャニングする時ごとに、新しく指静脈パターンを抽出して自動で認識される。この時、一次的に指静脈（または指紋）を利用してユーザを認証する時、ユーザ認証エラーが発生すると、２次的に指紋（または指静脈）を利用してユーザを認証処理することによって、指静脈および指紋が同一または類似してユーザ識別が難しい場合にも、ユーザ認証エラーを最小化することができる。
【００７２】
図４は、本発明の一実施例に係る指静脈認証を利用したマルチ安全ロック機能を具備する金融取引中継システムの処理手順を図示したフローチャートである。
【００７３】
図４を参照すると、本発明の金融取引中継システム２は、段階Ｓ１５０で顧客端末機２００が通信網４を通じて金融取引中継サーバー１００に接続し、段階Ｓ１５２で会員として加入する。この時、顧客端末機２００は、名前、ＩＤ、パスワード、電話番号、メールアドレスなどの顧客の個人情報を入力する。
【００７４】
段階Ｓ１５４で顧客端末機２００は指紋認識器２１０と指静脈認識器２２０を通じて指紋情報と指静脈情報とを獲得し、通信網４を通じて指紋情報と指静脈情報とを金融取引中継サーバー１００に伝送すると、金融取引中継サーバー１００は顧客端末機２００に対応して指紋情報と指静脈情報とを登録する。この時、金融取引中継サーバー１００はデータベース１３０に指紋情報１３４と指静脈情報１３６とを保存する。
【００７５】
段階Ｓ１５６で金融取引中継サーバー１００は電子金融取引および電子商取引を遂行するために、一次的に指紋を認識して段階Ｓ１５８でデータベースに保存された指紋情報と一致するかを判別して顧客端末機２００のユーザを認証する。
【００７６】
段階Ｓ１６０で金融取引中継サーバー１００は２次的に顧客端末機２００からパスワードの入力を受け、段階Ｓ１６２でデータベース１３０に保存されたパスワードと一致するかを判別する。データベース１３０に保存されたパスワードは会員情報１３２に含まれる。判別結果、二つのパスワードが一致すると、段階Ｓ１６４で３次的に指静脈を認識し、段階Ｓ１６６でデータベースに保存された指静脈情報１３６と一致するかを判別する。
【００７７】
判別結果、二つの指静脈情報が一致すると、この手順は段階Ｓ１６８に進行して４次的にミドルウェア承認処理部１２２を通じてマルチ安全ロックモジュール１１０で金融取引中継サーバー１００のデータベース１３０を開くことができるようにファイアウォールを解除し、引き続き段階Ｓ１７０で金融取引中継サーバー１００は無認証で電子金融取引システム３００または電子商取引システム４００に接続して金融取引を中継するように処理する。
【００７８】
しかし、段階Ｓ１５８、段階Ｓ１６２および段階Ｓ１６６のそれぞれにおいて、金融取引中継サーバー１００は顧客端末機２００から指紋情報、パスワードおよび指静脈情報のうちいずれか一つでも一致しないと、段階Ｓ１７２に進行して電子金融取引および電子商取引を処理できないように金融取引中継サーバー１００の接続を遮断させる。
【００７９】
そして、図５は本発明の他の実施例に係る指静脈と指紋を同時にスキャンしてユーザ認証を処理するマルチ安全ロック機能を具備する金融取引中継システムの処理手順を図示したフローチャートである。この実施例は指静脈情報と指紋情報が同一または類似してユーザ識別が難しい場合に処理されるものであって、指静脈情報で１次ユーザ認証を処理し、１次でユーザ識別が難しいと、２次的に指紋情報を利用してユーザ認証を処理する。
【００８０】
すなわち、図５を参照すると、本発明の金融取引中継システム２は、段階Ｓ１８０で顧客端末機２００の指紋認識器２１０と指静脈認識器２２０から同時に指紋および指静脈をスキャンして指紋情報と指静脈情報とを金融取引中継サーバー１００に提供する。
【００８１】
段階Ｓ１８２で金融取引中継サーバー１００は指静脈情報と指紋情報を認識し、段階Ｓ１８４で指静脈情報がデータベース１３０に保存された指静脈情報と比較して唯一なものであるかを判別する。
【００８２】
判別結果、指静脈情報が唯一なものであれば、この手順は段階Ｓ１８８に進行し、唯一なものではなければすなわち、指静脈情報が同一または類似してユーザ識別が難しい場合であれば、段階Ｓ１８６で指紋情報をデータベース１３０に保存された指紋情報と比較して唯一なものであるかを判別する。
【００８３】
判別結果、指紋情報が唯一なものであれば、この手順は段階Ｓ１８８に進行して、パスワード、電話番号のうち少なくとも一つを利用してファイアウォール解除および遮断のためのユーザ認証を処理する。
【００８４】
段階Ｓ１９０でパスワードまたは／および電話番号がデータベース１３０に保存されたパスワードまたは／および電話番号と一致するかを判別し、パスワードまたは／および電話番号が一致すると、段階Ｓ１９２でミドルウェア承認処理部１２２を通じてマルチ安全ロックモジュール１１０で金融取引中継サーバー１００のデータベース１３０を開くことができるようにファイアウォールを解除し、引き続き段階Ｓ１９４で金融取引中継サーバー１００は無認証で電子金融取引システム３００または電子商取引システム４００に接続して金融取引を中継するように処理する。
【００８５】
しかし、段階Ｓ１８６および段階Ｓ１９０のそれぞれにおいて、顧客端末機２００が指静脈情報と指紋情報を利用してユーザ認証が不可能であるか、パスワードまたは／および電話番号が一致しなければ、段階Ｓ１９６に進行して電子金融取引および電子商取引を処理できないように金融取引中継サーバー１００の接続を遮断させる。
以上で、本発明に係る指静脈と指紋を同時にスキャンしてユーザ認証を処理するマルチ安全ロック機能を具備する金融取引中継システムの構成および作用を詳細な説明と図面により図示したが、これは実施例を挙げて説明したものに過ぎず、本発明の技術的思想を逸脱しない範囲内で多様な変化および変更が可能である。
【符号の説明】
【００８６】
２：金融取引中継システム
４、６：通信網
１００：金融取引中継サーバー
１１０：マルチ安全ロックモジュール
１１２：指静脈および指紋認識処理部
１１４：パスワード処理部
１１６：電話番号認証処理部
１２０：ミドルウェアファイアウォール
１２２：ミドルウェア認証処理部
２００：顧客端末機
２１０：指紋認識器
２２０：指静脈認識器
２５０：モジュール
３００：電子金融取引システム
４００：電子商取引システム
【図１】
2018532211.tif 000003
【図２】
2018532211.tif 000004
【図３】
2018532211.tif 000005
【図４】
2018532211.tif 000006
【図５】
2018532211.tif 000007
【国際調査報告】
2018532211.tif 000008
2018532211.tif 000009
2018532211.tif 000010
2018532211.tif 000011